(57)【要約】【課題】本発明は、極めて商品価値の高い画期的な消雪水散水用管材に付設される散水具を提供することを目的とする。【解決手段】消雪ホースや消雪パイプなどの消雪水散水用管材１の周面に形成される散水孔１ａに外側から挿入して内側に係止する抜け止め係止部３と、この抜け止め係止部３の上部に設けられ、前記散水孔１ａから噴出する散水を遮り、散水方向を横方向にして放射方向に規制する水規制部４とから成るものである。【選択図】　　　　図４
2004076560.tif 000002
【特許請求の範囲】
【請求項１】
消雪ホースや消雪パイプなどの消雪水散水用管材の周面に形成される散水孔に外側から挿入して内側に係止する抜け止め係止部と、この抜け止め係止部の上部に設けられ、前記散水孔から噴出する散水を遮り、散水方向を横方向にして放射方向に規制する水規制部とから成ることを特徴とする消雪水散水用管材に付設される散水具。
【請求項２】
前記抜け止め係止部を適宜な可撓性を有する部材で形成し、この抜け止め係止部を変形させた状態で散水孔に外側から挿入させた際、戻り変形することで散水孔の内側に抜け止め係止するように前記抜け止め係止部を構成したことを特徴とする請求項１記載の消雪水散水用管材に付設される散水具。
【請求項３】
前記抜け止め係止部と前記水規制部との間隔を可変し得るように構成したことを特徴とする請求項１，２のいずれか１項に記載の消雪水散水用管材に付設される散水具。
【請求項４】
前記抜け止め係止部を設けた係止体に散水孔から噴出する散水を遮る遮水体を設け、この遮水体には前記消雪水散水用管材の周面に当接する当接部が設けられており、前記散水孔から噴出する散水を遮った際、消雪水散水用管材の周面に当接して遮水体の傾動を阻止し得るように前記当接部を構成したことを特徴とする請求項１〜３のいずれか１項に記載の消雪水散水用管材に付設される散水具。
【請求項５】
前記抜け止め係止部を設けた係止体に散水孔から噴出する散水を遮る遮水体を設け、この遮水体の下面にして散水孔に対設する対設部位に傾斜面若しくは湾曲面を形成し、この傾斜面若しくは湾曲面にて散水孔から噴出する散水を遮り、散水方向を横方向にして放射方向に規制し得るように設けて前記水規制部を構成したことを特徴とする請求項１〜４のいずれか１項に記載の消雪水散水用管材に付設される散水具。
【請求項６】
前記抜け止め係止部を設けた係止体に散水孔から噴出する散水を遮る遮水体を設け、この遮水体の下面にして散水孔に対設する対設部位に前記散水孔から噴出する散水を遮水体内に導入する水導入部を設けるとともに、この水導入部から導入された散水を横方向にして放射方向に規制して導出する水導出部を遮水体の側方周面に設けて前記水規制部を構成したことを特徴とする請求項１〜４のいずれか１項に記載の消雪水散水用管材に付設される散水具。
【請求項７】
前記抜け止め係止部を設けた係止体に散水孔から噴出する散水を遮る遮水体を設け、この遮水体の下面にして散水孔に対設する対設部位に前記散水孔から噴出する散水を遮る第一遮水部を設け、この第一遮水部の周囲にして放射方向に逆さ凹溝状の第二遮水部を設け、この第一遮水部及び第二遮水部を介して散水孔から噴出する散水を遮り、散水方向を横方向にして放射方向に規制し得るように設けて前記水規制部を構成したことを特徴とする請求項１〜４のいずれか１項に記載の消雪水散水用管材に付設される散水具。
【請求項８】
前記遮水体の下面にして前記逆さ凹溝状の第二遮水部を構成する底面を、該遮水体の外周縁側程巾狭となるように構成したことを特徴とする請求項７記載の消雪水散水用管材に付設される散水具。
【請求項９】
前記遮水体の下面にして前記逆さ凹溝状の第二遮水部を構成する底面を、該遮水体の外周縁に向けて上方に傾斜する上り傾斜面となるように構成したことを特徴とする請求項７，８のいずれか１項に記載の消雪水散水用管材に付設される散水具。
【発明の詳細な説明】
【０００１】
【発明の属する技術分野】
本発明は、消雪ホースや消雪パイプなどの消雪水散水用管材に付設される散水具に関するものである。
【０００２】
【従来の技術及び発明が解決しようとする課題】
従来から、道路や駐車場などの積雪箇所に配設される消雪水散水用管材としての消雪ホースが提案されており、この消雪ホースは、所望の位置に配設して地下から汲み上げた地下水を散水することができる。
【０００３】
ところが、この消雪ホース１は、図１７に図示したようにこの散水孔１ａから噴出される散水Ｗは線状である為、そのまま放っておいた場合には積雪Ｓの一部分しか解かすことができない（仮に全てを解かすことができたとしても非常に時間が掛かり効率が悪く、地下水や汲み上げポンプを作動させる電気など、資源の無駄になってしまう。）。
【０００４】
そこで、この対処として、ある程度時間がたった後、消雪ホース１の位置をずらすなどして散水方向を変えて積雪の別の部分に当てるようにしているが非常に厄介であり、とは言え、散水孔１ａを多く形成すると散水圧が低下してしまう（強力なポンプが必要となってしまう）などの問題点がある。
【０００５】
本発明は、上述の問題点に着目し、極めて商品価値の高い画期的な消雪水散水用管材に付設される散水具を提供する。
【０００６】
【課題を解決するための手段】
添付図面を参照して本発明の要旨を説明する。
【０００７】
消雪ホースや消雪パイプなどの消雪水散水用管材１の周面に形成される散水孔１ａに外側から挿入して内側に係止する抜け止め係止部３と、この抜け止め係止部３の上部に設けられ、前記散水孔１ａから噴出する散水を遮り、散水方向を横方向にして放射方向に規制する水規制部４とから成ることを特徴とする消雪水散水用管材に付設される散水具に係るものである。
【０００８】
また、前記抜け止め係止部３を適宜な可撓性を有する部材で形成し、この抜け止め係止部３を変形させた状態で散水孔１ａに外側から挿入させた際、戻り変形することで散水孔１ａの内側に抜け止め係止するように前記抜け止め係止部３を構成したことを特徴とする請求項１記載の消雪水散水用管材に付設される散水具に係るものである。
【０００９】
また、前記抜け止め係止部３と前記水規制部４との間隔を可変し得るように構成したことを特徴とする請求項１，２のいずれか１項に記載の消雪水散水用管材に付設される散水具に係るものである。
【００１０】
また、前記抜け止め係止部３を設けた係止体６に散水孔１ａから噴出する散水を遮る遮水体５を設け、この遮水体５には前記消雪水散水用管材１の周面に当接する当接部１１が設けられており、前記散水孔１ａから噴出する散水を遮った際、消雪水散水用管材１の周面に当接して遮水体５の傾動を阻止し得るように前記当接部１１を構成したことを特徴とする請求項１〜３のいずれか１項に記載の消雪水散水用管材に付設される散水具に係るものである。
【００１１】
また、前記抜け止め係止部３を設けた係止体６に散水孔１ａから噴出する散水を遮る遮水体５を設け、この遮水体５の下面にして散水孔１ａに対設する対設部位に傾斜面若しくは湾曲面を形成し、この傾斜面若しくは湾曲面にて散水孔１ａから噴出する散水を遮り、散水方向を横方向にして放射方向に規制し得るように設けて前記水規制部４を構成したことを特徴とする請求項１〜４のいずれか１項に記載の消雪水散水用管材に付設される散水具に係るものである。
【００１２】
また、前記抜け止め係止部３を設けた係止体６に散水孔１ａから噴出する散水を遮る遮水体５を設け、この遮水体５の下面にして散水孔１ａに対設する対設部位に前記散水孔１ａから噴出する散水を遮水体５内に導入する水導入部８を設けるとともに、この水導入部８から導入された散水を横方向にして放射方向に規制して導出する水導出部９を遮水体５の側方周面に設けて前記水規制部４を構成したことを特徴とする請求項１〜４のいずれか１項に記載の消雪水散水用管材に付設される散水具に係るものである。
【００１３】
また、前記抜け止め係止部３を設けた係止体６に散水孔１ａから噴出する散水を遮る遮水体５を設け、この遮水体５の下面にして散水孔１ａに対設する対設部位に前記散水孔１ａから噴出する散水を遮る第一遮水部１２を設け、この第一遮水部１２の周囲にして放射方向に逆さ凹溝状の第二遮水部１３を設け、この第一遮水部１２及び第二遮水部１３を介して散水孔１ａから噴出する散水を遮り、散水方向を横方向にして放射方向に規制し得るように設けて前記水規制部４を構成したことを特徴とする請求項１〜４のいずれか１項に記載の消雪水散水用管材に付設される散水具に係るものである。
【００１４】
また、前記遮水体５の下面にして前記逆さ凹溝状の第二遮水部１３を構成する底面１３ａを、該遮水体５の外周縁側程巾狭となるように構成したことを特徴とする請求項７記載の消雪水散水用管材に付設される散水具に係るものである。
【００１５】
また、前記遮水体５の下面にして前記逆さ凹溝状の第二遮水部１３を構成する底面１３ａを、該遮水体５の外周縁に向けて上方に傾斜する上り傾斜面となるように構成したことを特徴とする請求項７，８のいずれか１項に記載の消雪水散水用管材に付設される散水具に係るものである。
【００１６】
【発明の実施の形態】
好適と考える本発明の実施の形態（発明をどのように実施するか）を、図面に基づいてその作用効果を示して簡単に説明する。
【００１７】
本発明は、消雪水散水用管材１の周面に形成される散水孔１ａに抜け止め係止部３を外側から挿入して内側に抜け止め係止させ、この状態で散水孔１ａから散水すると、抜け止め係止部３の上部に設けられる水規制部４は散水孔１ａから噴出する散水を遮り、散水方向を横方向にして放射方向に規制する。
【００１８】
従って、消雪水散水用管材１の散水孔１ａから噴出する散水を散らばせることができるから、従来から指摘されている煩わしさは確実に解消され、効率良く積雪を解かすことができ、しかも、既存の消雪水散水用管材１に散水方向を規制する機能を簡易且つ迅速に具備せしめることができる。
【００１９】
また、抜け止め係止部３を適宜な可撓性を有する部材で形成し、この抜け止め係止部３を変形させた状態で散水孔１ａに外側から挿入させた際、戻り変形することで散水孔１ａの内側に抜け止め係止するように抜け止め係止部３を構成した場合には、消雪水散水用管材１への付設が簡易且つ迅速に行えることになり、しかも、何ら複雑な構造ではなく簡易構造故にコスト安にして量産性に秀れ、そして更に、例えば道路や駐車場に配設される消雪水散水用管材１に付設された状態で自動車が乗ったとしても、この自動車のタイヤをパンクさせたり走行の邪魔になることが可及的に防止されることになる。
【００２０】
また、抜け止め係止部３と水規制部４との間隔を可変し得るように構成した場合には、例えば消雪水散水用管材１の厚みに応じて間隔を変えることで確実に散水に適した環境が得られることになる。
【００２１】
また、抜け止め係止部３を設けた係止体６に散水孔１ａから噴出する散水を遮る遮水体５を設け、この遮水体５には消雪水散水用管材１の周面に当接する当接部１１が設けられており、散水孔１ａから噴出する散水を遮った際、消雪水散水用管材１の周面に当接して遮水体５の傾動を阻止し得るように当接部１１を構成した場合には、より一層良好な散水が達成される。
【００２２】
具体的には、散水孔１ａから噴出する散水は必ずしも均等の力で当たるわけではない為、仮にこの当接部１１がない場合には、遮水体５が傾くことで一方向にのみしか散水の規制が行われなくなってしまう点が懸念されるが、この点、遮水体５に消雪水散水用管材１の周面に当接する当接部１１を設けることで、この遮水体５の傾動を阻止して、散水の噴出力や噴出量などに関係なく、常に散水方向を横方向にして放射方向に規制することができることになる。
【００２３】
また、抜け止め係止部３を設けた係止体６に散水孔１ａから噴出する散水を遮る遮水体５を設け、この遮水体５の下面にして散水孔１ａに対設する対設部位に傾斜面若しくは湾曲面を形成し、この傾斜面若しくは湾曲面にて散水孔１ａから噴出する散水を遮り、散水方向を横方向にして放射方向に規制し得るように設けて水規制部４を構成した場合には、確実且つ良好に散水を横方向にして放射方向に規制することができる。
【００２４】
また、抜け止め係止部３を設けた係止体６に散水孔１ａから噴出する散水を遮る遮水体５を設け、この遮水体５の下面にして散水孔１ａに対設する対設部位に前記散水孔１ａから噴出する散水を遮水体５内に導入する水導入部８を設けるとともに、この水導入部８から導入された散水を横方向にして放射方向に規制して導出する水導出部９を遮水体５の側方周面に設けて水規制部４を構成した場合には、確実且つ良好に散水を横方向にして放射方向に規制することができる。
【００２５】
また、抜け止め係止部３を設けた係止体６に散水孔１ａから噴出する散水を遮る遮水体５を設け、この遮水体５の下面にして散水孔１ａに対設する対設部位に前記散水孔１ａから噴出する散水を遮る第一遮水部１２を設け、この第一遮水部１２の周囲にして放射方向に逆さ凹溝状の第二遮水部１３を設け、この第一遮水部１２及び第二遮水部１３を介して散水孔１ａから噴出する散水を遮り、散水方向を横方向にして放射方向に規制し得るように設けて水規制部４を構成した場合には、確実且つ良好に散水を横方向にして放射方向に規制することができる。
【００２６】
また、遮水体５の下面にして逆さ凹溝状の第二遮水部１３を構成する底面１３ａを、該遮水体５の外周縁側程巾狭となるように構成した場合には、この第二遮水部１３を散水孔１ａから噴出される散水が通過することで絞られた状態となるから、散水に勢いをつけることができ、より一層良好な散水が行われることになる。
【００２７】
また、遮水体５の下面にして逆さ凹溝状の第二遮水部１３を構成する底面１３ａを、該遮水体５の外周縁に向けて上方に傾斜する上り傾斜面となるように構成した場合には、散水孔１ａから噴出する散水の勢いを抑制しすぎず、円滑に散水を横方向にして放射方向に規制することができる。
【００２８】
【実施例】
図１〜５は本発明の第一実施例、図６〜１０は第二実施例、図１１〜１６は第三実施例であり、以下に説明する。
【００２９】
符号１は消雪水散水用管材としての消雪ホース、１ａは散水孔、Ｗは散水、Ｓは積雪である。
【００３０】
第一実施例について説明する。
【００３１】
第一実施例は、消雪ホース１の周面に形成される散水孔１ａに外側から挿入して内側に係止する抜け止め係止部３と、この抜け止め係止部３の上部に設けられ、散水孔１ａから噴出する散水Ｗを遮り、散水方向を横方向にして放射方向に規制する水規制部４とから成るものである。
【００３２】
具体的には、本実施例は、抜け止め係止部３を設けた係止体６に散水孔１ａから噴出する散水Ｗを遮る遮水体５を設けて構成されている。
【００３３】
係止体６は、図１に図示したように適度な可撓性を有する部材（合成樹脂）で形成した線状体であり、その下部に散水孔１ａの内側に係止するＴ字状の抜け止め係止部３が設けられ、この抜け止め係止部３の上方所定位置には後述する遮水体５を着脱自在に連結する連結部７が設けられている。
【００３４】
また、抜け止め係止部３は、適度な可撓性を有して戻り変形可能に構成されており、この抜け止め係止部３の左右部位３ａ，３ｂをＶ字状に折り曲げ変形させて散水孔１ａに外側から通過させた際、消雪ホース１内で戻り変形することで散水孔１ａの内側に架設状態に抜け止め係止することになる。尚、この抜け止め係止部３を消雪ホース１の散水孔１ａに抜け止め係止した際、散水Ｗの噴出を阻害しないようにその径や形状は考慮されて適宜設計される。
【００３５】
連結部７は、図１に図示したように係止部３の上部にして遮水体５の連結孔５ｂに嵌挿する位置に適度な弾性を有する係止突起７ａを膨出形成して構成されており、この係止突起７ａを乗り越えるようにして遮水体５の連結孔５ｂを圧入被嵌させて抜け止め状態に固定することができる。
【００３６】
また、係止突起７ａは上下二箇所に設けられており、この上下の係止突起７ａのいずれかに遮水体５を係止することで抜け止め係止部３との間隔を可変し得るように構成されている。この抜け止め係止部３と遮水体５（水規制部４）との間隔を可変し得る構成は、消雪ホース１の厚みに対応して最適な付設状態が得られることになり、しかも、散水Ｗの散水方向や散水距離などの調整が行えることになる。尚、係止突起７ａは散水Ｗの噴出を阻害しないようにその径や形状は考慮されて適宜設計される。
【００３７】
遮水体５は、適度な可撓性を有する部材（合成樹脂）で形成した略偏平状体であり、その下面５ａは湾曲面に形成されている。この湾曲面５ａは、遮水体５を散水孔１ａの外側位置に配設した際、散水孔１ａから噴出される散水Ｗを横方向にして放射方向に規制する水規制部４となる。具体的には、この水規制部４で散水Ｗを受けた際、散水孔１ａから線状に噴出される散水Ｗが、平面方向から見て放射方向（３６０度方向）にして面状に規制されることになる。尚、水規制部４における散水Ｗを誘導する下面としては湾曲面に限らず傾斜面としても良い。
【００３８】
また、遮水体５は、その中央部に連結孔５ｂが形成され、この連結孔５ｂを被嵌させて係止体６の連結部７に着脱自在に連結し得るように構成されている。
【００３９】
本実施例は上述のように構成したから、消雪ホース１の周面に形成される散水孔１ａに抜け止め係止部３を外側から挿入して内側に抜け止め係止させ、この状態で散水孔１ａから散水すると、抜け止め係止部３の上部に設けられる水規制部４は散水孔１ａから噴出する散水Ｗを遮り、散水方向を横方向にして放射方向に規制する。
【００４０】
よって、本実施例によれば、消雪ホース１の散水孔１ａから噴出する散水Ｗを良好に散らばせることができるから、従来から指摘されている煩わしさは確実に解消され、効率良く積雪を解かすことができ、しかも、既存の消雪ホース１に散水方向を規制する機能を簡易且つ迅速に具備せしめることができる。
【００４１】
また、本実施例は、係止体６（抜け止め係止部３）を適宜な可撓性を有する部材で形成し、この抜け止め係止部３を変形させた状態で散水孔１ａに外側から挿入させた際、戻り変形することで散水孔１ａの内側に抜け止め係止するように抜け止め係止部３を構成したから、消雪ホース１への付設が簡易且つ迅速に行えることになり、しかも、何ら複雑な構造ではなく簡易構造故にコスト安にして量産性に秀れ、そして更に、例えば道路や駐車場に配設される消雪ホース１に付設された状態で自動車が乗ったとしても、この自動車のタイヤをパンクさせたり走行の邪魔になることが可及的に防止されることになる。
【００４２】
また、本実施例は、抜け止め係止部３と遮水体５（水規制部４）との間隔を可変し得るように構成したから、例えば消雪ホース１の厚みに応じて間隔を変えることで確実に散水に適した環境が得られることになる。
【００４３】
また、本実施例は、抜け止め係止部３を設けた係止体６に散水孔１ａから噴出する散水を遮る遮水体５を設け、この遮水体５の下面にして散水孔１ａに対設する対設部位に湾曲面５ａを形成し、この湾曲面５ａにて散水孔１ａから噴出する散水を遮り、散水方向を横方向にして放射方向に規制し得るように設けて水規制部４を構成したから、確実且つ良好に散水を横方向にして放射方向に規制することができる。
【００４４】
また、本実施例は、遮水体５は適度な可撓性を有し、且つ、略偏平状に形成したから、前述した係止体６と同様、自動車のタイヤをパンクさせたり走行の邪魔になることが可及的に防止されることになる。
【００４５】
次に、第二実施例について説明する。
【００４６】
第二実施例は、抜け止め係止部３を設けた係止体６に散水孔１ａから噴出する散水Ｗを遮る遮水体５を設け、この遮水体５の下面にして散水孔１ａに対設する対設部位に前記散水孔１ａから噴出する散水Ｗを遮水体５内に導入する水導入部８を設けるとともに、この水導入部８から導入された散水Ｗを横方向にして放射方向に規制して導出する水導出部９を遮水体５の側方周面に設けて水規制部４を構成したものである。
【００４７】
具体的には、遮水体５は、図６に図示したように適度な可撓性を有する部材で形成された略偏平状体であり、その内部には平面視十字状の通水路１０が形成されている。
【００４８】
この通水路１０の中央にして遮水体５の下面中央には、該通水路１０に連通する水導入部８としての孔が形成され、更に、その側面にして四箇所には通水路１０に連通する水導出部９としての孔が形成されている。尚、水導出部９を構成する孔は４個に限らず適宜設計変更し得るものである。
【００４９】
従って、水規制部４は、消雪ホース１の散水孔１ａから噴出された散水Ｗを水導入部８から導入して通水路１０を通過させて水導出部９から導出するように構成され、よって、散水孔１ａから噴出する散水Ｗを横方向にして放射方向に規制することで効率の良い消雪が行われることになる。
【００５０】
その余は第一実施例と同様である。
【００５１】
次に、第三実施例について説明する。
【００５２】
第三実施例は、抜け止め係止部３を設けた係止体６に散水孔１ａから噴出する散水を遮る遮水体５を設け、この遮水体５の下面にして散水孔１ａに対設する対設部位に前記散水孔１ａから噴出する散水を遮る略平坦状の第一遮水部１２を設け、この第一遮水部１２の周囲にして放射方向に長さを有する逆さ凹溝状の第二遮水部１３を設け、この第一遮水部１２及び第二遮水部１３を介して散水孔１ａから噴出する散水を遮り、散水方向を横方向にして放射方向に規制し得るように設けて前記水規制部４を構成したものである。
【００５３】
具体的には、遮水体５は、図１１に図示したように適宜な合成樹脂製の部材を一体成形した平面視円形状体であり、その中央平坦部１４に連結孔５ｂが形成され、この連結孔５ｂを被嵌させて係止体６の連結部７に着脱自在に連結し得るように構成されている。
【００５４】
また、遮水体５は、前記連結孔５ｂを設けた中央平坦部１４が平面視方形状に形成されており、この中央平坦部１４の裏面が散水孔１ａから噴出する散水を遮る前記第一遮水部１２として構成されている。
【００５５】
この第一遮水部１２は、その周辺部にして四つの角部に突部１１が突出形成されている。
【００５６】
この突部１１は、係止体６を介して遮水体５を消雪水散水用管材１に付設した際、消雪水散水用管材１の周面に当接する当接部１１として構成されている。
【００５７】
従って、この各当接部１１が消雪水散水用管材１の周面に当接することで、該周面に対する遮水体５の略平行状態が維持されることになり、散水孔１ａから噴出される散水を遮る遮水体５が傾動してしまうのを防止し得ることになる。尚、本実施例では遮水体５の傾動を阻止する当接部１１を四つ設けているが、その数や形状はこれに限定されるものではなく（例えば散水時には断面が略円形状となる消雪水散水用管材１の湾曲面に合わせて当接部１１の下面をＲ面としたり、消雪水散水用管材１の巾方向に対向配設される当接部１１の長さを長くするなど）、要は遮水体５の傾動を阻止して良好な散水を達成し得るものであれば良い。
【００５８】
また、この当接部１１は、消雪水散水用管材１の周面から第一遮水部１２を所定の間隔を保持せしめる機能を発揮し、係止体６を介して遮水体５を消雪水散水用管材１に付設した際、この第一遮水部１２と前記消雪水散水用管材１の周面との間で所定体積の第一空間Ａ１が形成される。
【００５９】
この第一空間Ａ１の周囲には四つの第二空間Ａ２が連設されている。
【００６０】
具体的には、前記第一遮水部１２の周囲にして四方向（放射方向）に逆さ凹溝状の第二遮水部１３が設けられている。
【００６１】
この第二遮水部１３は、三つの三角面で構成され、即ち、第一遮水部１２に係る平面視方形状の中央平坦部１４の各四辺から外方に向けて先鋭となり且つ上方に立ち上がり傾斜する第一面１３ａと、この第一面１３ａの左右両脇に連設され、左右方向に向けて下り傾斜する第二面１３ｂ及び第三面１３ｃとで構成されており、つまり、第二遮水部１３は逆さ凹溝状であって、逆さ凹溝状の第二遮水部１３を構成する底面１３ａが遮水体５の外周縁側程巾狭となるように構成されるとともに、遮水体５の外周縁に向けて上方に傾斜する上り傾斜面となるように構成されている。
【００６２】
従って、この第二遮水部１３は、係止体６を介して遮水体５を消雪水散水用管材１に付設した際、この第二遮水部１３の端部にして遮水体５の側面四方向には正面視略三角形状（山形状）の開口部１５が形成されることになる。この開口部１５が横方向に規制した散水を噴出させる噴出口として機能し、散水孔１ａから噴出して第一遮水部１２を通過し、その後、遮水体５の外周縁側程巾狭となる第二遮水部１３を通過した散水は開口部１５から勢いよく噴出することになる。つまり、散水孔１ａから噴出される散水は、第一遮水部１２と第二遮水部１３を通過することで絞られた状態となるから噴出力が強まる（勢いがつく）ことになる。
【００６３】
その余は第一実施例と同様である。
【００６４】
【発明の効果】
本発明は上述のように構成したから、効率良く積雪を解かすことができることになるなど極めて商品価値の高い画期的な消雪水散水用管材に付設される散水具となる。
【００６５】
また、請求項２記載の発明においては、消雪水散水用管材への付設が簡易且つ迅速に行えることになるなど極めて商品価値の高い画期的な消雪水散水用管材に付設される散水具となる。
【００６６】
また、請求項３記載の発明においては、常に良好な散水の規制が行えることになるなど極めて商品価値の高い画期的な消雪水散水用管材に付設される散水具となる。
【００６７】
また、請求項４記載の発明においては、より一層確実に良好な散水の規制が行えることになるなど極めて商品価値の高い画期的な消雪水散水用管材に付設される散水具となる。
【００６８】
また、請求項５，６，７記載の発明においては、確実且つ良好に散水を横方向にして放射方向に規制することができるなど極めて商品価値の高い画期的な消雪水散水用管材に付設される散水具となる。
【００６９】
また、請求項８記載の発明においては、より一層確実に良好な散水の規制が行えることになるなど極めて商品価値の高い画期的な消雪水散水用管材に付設される散水具となる。
【００７０】
また、請求項９記載の発明においては、より一層確実に良好な散水の規制が行えることになるなど極めて商品価値の高い画期的な消雪水散水用管材に付設される散水具となる。
【図面の簡単な説明】
【図１】第一実施例を示す分解斜視図である。
【図２】第一実施例を示す斜視図である。
【図３】第一実施例を示す斜視図である。
【図４】第一実施例に係る要部を説明する断面図である。
【図５】第一実施例の使用状態説明図である。
【図６】第二実施例を示す分解斜視図である。
【図７】第二実施例を示す斜視図である。
【図８】第二実施例を示す斜視図である。
【図９】第二実施例に係る要部を説明する断面図である。
【図１０】第二実施例の使用状態説明図である。
【図１１】第三実施例を示す分解斜視図である。
【図１２】第三実施例を示す斜視図である。
【図１３】第三実施例に係る要部を示す斜視図である。
【図１４】第三実施例に係る要部を示す底面図である。
【図１５】第三実施例に係る要部を説明する断面図である。
【図１６】第三実施例の使用状態説明図である。
【図１７】消雪ホースにおける散水状況説明図である。
【符号の説明】
１　消雪水散水用管材
１ａ　散水孔
３　抜け止め係止部
４　水規制部
５　遮水体
６　係止体
８　水導入部
９　水導出部
１１　当接部
１２　第一遮水部
１３　第二遮水部
１３ａ　底面
【図１】
2004076560.tif 000003
【図２】
2004076560.tif 000004
【図３】
2004076560.tif 000005
【図４】
2004076560.tif 000006
【図５】
2004076560.tif 000007
【図６】
2004076560.tif 000008
【図７】
2004076560.tif 000009
【図８】
2004076560.tif 000010
【図９】
2004076560.tif 000011
【図１０】
2004076560.tif 000012
【図１１】
2004076560.tif 000013
【図１２】
2004076560.tif 000014
【図１３】
2004076560.tif 000015
【図１４】
2004076560.tif 000016
【図１５】
2004076560.tif 000017
【図１６】
2004076560.tif 000018
【図１７】
2004076560.tif 000019